【事件の表示】
　平成　４年特許願第　７２３７０号「変数値の決定処理プログラム及び変数値の決定処理プログラムを記録したコンピュータ読み取り可能な記憶媒体」拒絶査定に対する審判事件［平成　５年　９月１０日出願公開、特開平　５−２３３７６６］について、次のとおり審決する。
【結　論】
　本件審判の請求は、成り立たない。
【理　由】
１．手続の経緯等
　本願は、平成４年２月２１日の出願であって、平成１３年６月２２日付けの手続補正書によって補正された明細書の特許請求の範囲の記載は次のとおりである。
　
「【特許請求の範囲】
　　【請求項１】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語及び前記変数名に対応させた変数記号を入力する未入力の各入力欄を画面に表示する条件記述用語未入力画面表示手段、
　専用業務の前記各データを、特定された変数値決定情報と特定された処理順序又は処理先と一つの変数記号に対して複数存在する変数値から一つを選定することによって特定された選択値とにそれぞれ対応した前記条件記述用語で、前記未入力の各入力欄に入力して専用業務記述ファイルとして記憶する専用業務記述ファイル作成手段、
　前記変数値を特定するための実行条件の条件記述用語が前記専用業務記述ファイルの入力欄に入力されたときに、前記専用業務記述ファイルの変数値決定情報と処理順序又は処理先の手順とに従って未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項２】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語及び前記変数名に対応させた変数記号を入力する未入力の各入力欄を画面に表示する条件記述用語未入力画面表示手段、
　専用業務の前記各データを、特定された変数値決定情報と特定された処理順序又は処理先と一つの変数記号に対して複数存在する変数値から一つを選定することによって特定された選択値とにそれぞれ対応した前記条件記述用語で、前記未入力の各入力欄に入力して専用業務記述ファイルとして記憶する専用業務記述ファイル作成手段、
　前記専用業務記述ファイルに記憶された前記条件記述用語の記録済み入力欄を画面に表示する記録済み入力画面表示手段、
　前記記録済み画面の入力欄又は未入力画面の入力欄に変更又は追加する条件記述用語を入力して変更追加後の専用業務記述ファイルとして記憶する変更追加専用業務記述ファイル作成手段、
　前記変数値を特定するための実行条件の条件記述用語が前記専用業務記述ファイル又は前記変更追加後の専用業務記述ファイルの入力欄に入力されたときに、前記変更追加後の専用業務記述ファイルの変数値決定情報と処理順序又は処理先の手順とに従って未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項３】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の各入力欄に入力して単一業務処理手順別ファイルとして記憶する単一業務処理手順別ファイル作成手段、
　前記変数値を特定するための実行条件の条件記述用語が前記単一業務処理手順別ファイルの入力欄に入力されたときに、予め定めた工程の順序で、前記単一業務処理手順別ファイルの変数値決定情報と処理順序又は処理先の手順とに従って未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項４】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　２以上の専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の入力欄に入力した２以上の専用業務の各工程ごとの処理順序を示す処理ファイル及び２以上の専用業務の各処理ごとの処理内容を示す手順ファイルからなる複数の業務処理手順別ファイルとして記憶する複数業務処理手順別ファイル作成手段、
　前記複数の業務処理手順別ファイルから専用業務のうちの目的とする専用業務に必要な処理ファイル及び手順ファイルを移行して工程順に集積し、目的とする専用業務のみの集積専用業務記述ファイルとして記憶する集積専用業務記述ファイル作成手段、
　前記変数値を特定するための実行条件の条件記述用語が前記集積専用業務記述ファイルの入力欄に入力されたときに、前記集積した工程順に前記集積専用業務記述ファイルの変数値決定情報と処理順序又は処理先の手順とに従って未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項５】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語及び前記変数名に対応させた変数記号を入力する未入力の各入力欄を画面に表示する条件記述用語未入力画面表示手段、
　専用業務の前記各データを、特定された変数値決定情報と特定された処理順序又は処理先と一つの変数記号に対して複数存在する変数値から一つを選定することによって特定された選択値とにそれぞれ対応した前記条件記述用語を前記未入力の各入力欄に入力して専用業務記述ファイルとして記憶する専用業務記述ファイル作成手段、
　前記変数値を特定するための実行条件の条件記述用語が前記専用業務記述ファイルの入力欄に入力されたときに、前記専用業務記述ファイルの変数値決定情報と処理順序又は処理先の手順とに従って未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラムを記録したコンピュータ読み取り可能な記憶媒体。
　　【請求項６】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の各入力欄に入力して単一業務処理手順別ファイルとして記憶する単一業務処理手順別ファイル作成手段、
　前記変数値を特定するための実行条件の条件記述用語が前記単一業務処理手順別ファイルの入力欄に入力されたときに、予め定めた工程の順序で、前記単一業務処理手順別ファイルの変数値決定情報と処理順序又は処理先の手順とに従って未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラムを記録したコンピュータ読み取り可能な記憶媒体。
　　【請求項７】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　各工程の順序のみを専用業務工程順序ファイルとして記憶する専用業務工程順序ファイル作成手段、
　専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の入力欄に入力して単一業務処理手順別ファイルとして記憶する単一業務処理手順別ファイル作成手段、
　前記変数値を特定するための実行条件の条件記述用語が前記単一業務処理手順別ファイルの画面の入力欄に入力されたときに、前記専用業務工程順序ファイルの工程の順序で、前記単一業務処理手順別ファイルの変数値決定情報と処理順序又は処理先の手順とに従って未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項８】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　各工程の順序のみを専用業務工程順序ファイルとして記憶する専用業務工程順序ファイル作成手段、
　２以上の専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の入力欄に入力した２以上の専用業務の各工程ごとの処理順序を示す処理ファイル及び２以上の専用業務の各処理ごとの処理内容を示す手順ファイルからなる複数の業務処理手順別ファイルとして記憶する複数業務処理手順別ファイル作成手段、
　前記変数値を特定するための実行条件の条件記述用語が前記複数の業務処理手順別ファイルの画面の入力欄に入力されたときに、前記専用業務工程順序ファイルの工程の順序で、前記複数の業務処理手順別ファイルの変数値決定情報と処理順序又は処理先の手順とに従って未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項９】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語及び前記変数名に対応させた変数記号を入力する未入力の各入力欄を画面に表示する条件記述用語未入力画面表示手段、
　専用業務の前記各データを、特定された変数値決定情報と特定された処理順序又は処理先と一つの変数記号に対して複数存在する変数値から一つを選定することによって特定された選択値とにそれぞれ対応した前記条件記述用語を前記未入力の各入力欄に入力して専用業務記述ファイルとして記憶する専用業務記述ファイル作成手段、
　前記専用業務記述ファイルの条件記述用語を工程別及び処理別に、条件記述用語と中央演算処理装置によって実行処理されるプログラムとの中間の言語に相当する実行文である変換中間実行文に変換する記述用語中間実行文変換手段、
　前記変数値を特定するための実行条件の条件記述用語が前記専用業務記述ファ
イルの画面の入力欄に入力されたときに、前記専用業務記述ファイルの処理順序又は処理先に従って、前記変換中間実行文の未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項１０】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語及び前記変数名に対応させた変数記号を入力する未入力の各入力欄を画面に表示する条件記述用語未入力画面表示手段、
　専用業務の前記各データを、特定された変数値決定情報と特定された処理順序又は処理先と一つの変数記号に対して複数存在する変数値から一つを選定することによって特定された選択値とにそれぞれ対応した前記条件記述用語を前記未入力の各入力欄に入力して専用業務記述ファイルとして記憶する専用業務記述ファイル作成手段、
　前記専用業務記述ファイルの条件記述用語を工程別及び処理別に、条件記述用語と中央演算処理装置によって実行処理されるプログラムとの中間の言語に相当する実行文である変換中間実行文に変換する記述用語中間実行文変換手段、
　前記変数値を特定するための実行条件の条件記述用語が前記専用業務記述ファイルの画面の入力欄に入力されたときに、前記専用業務記述ファイルの処理順序又は処理先に従って、前記変換中間実行文の未決定変数値を演算して算出する変数値演算手段及び
　前記専用業務記述ファイルに記憶された前記条件記述用語の記録済み入力欄を画面に表示する記録済み入力画面表示手段、
　前記記録済み画面の入力欄又は未入力画面の入力欄に変更又は追加する条件記述用語を入力して変更追加専用業務記述ファイルとして記憶する変更追加専用業務記述ファイル作成手段、
　前記変更追加専用業務記述ファイルの条件記述用語を工程別及び処理別に、条件記述用語と中央演算処理装置によって実行処理されるプログラムとの中間の言語に相当する実行文である変換中間実行文に変換する記述用語中間実行文変換手段、
　前記変数値を特定するための実行条件の条件記述用語が前記変更追加専用業務記述ファイルの画面の入力欄に入力されたときに、前記変更追加専用業務記述ファイルの処理順序又は処理先に従って、前記変換中間実行文の未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項１１】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の各入力欄に入力して単一業務処理手順別ファイルとして記憶する単一業務処理手順別ファイル作成手段、
　前記単一業務処理手順別ファイルの条件記述用語を工程別及び処理別に、条件記述用語と中央演算処理装置によって実行処理されるプログラムとの中間の言語に相当する実行文である変換中間実行文に変換する記述用語中間実行文変換手段、
　前記変数値を特定するための実行条件の条件記述用語が前記単一業務処理手順別ファイルの画面の入力欄に入力されたときに、前記単一業務処理手順別ファイルの処理順序又は処理先に従って、前記変換中間実行文の未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項１２】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　２以上の専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の入力欄に入力した２以上の専用業務の各工程ごとの処理順序を示す処理ファイル及び２以上の専用業務の各処理ごとの処理内容を示す手順ファイルからなる複数の業務処理手順別ファイルとして記憶する複数の業務処理手順別ファイル作成手段、
　前記複数の業務処理手順別ファイルから専用業務のうちの目的とする専用業務に必要な処理ファイル及び手順ファイルを移行して工程順に集積し、目的とする専用業務のみの集積専用業務記述ファイルとして記憶する集積専用業務記述ファイル作成手段、
　前記集積専用業務記述ファイルの条件記述用語を工程別及び処理別に、条件記述用語と中央演算処理装置によって実行処理されるプログラムとの中間の言語に相当する実行文である変換中間実行文に変換する記述用語中間実行文変換手段、
　前記変数値を特定するための実行条件の条件記述用語が前記集積専用業務記述ファイルの画面の入力欄に入力されたときに、前記集積した工程順に先に従って、前記変換中間実行文の未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項１３】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語及び前記変数名に対応させた変数記号を入力する未入力の各入力欄を画面に表示する条件記述用語未入力画面表示手段、
　専用業務の前記各データを、特定された変数値決定情報と特定された処理順序又は処理先と一つの変数記号に対して複数存在する変数値から一つを選定することによって特定された選択値とにそれぞれ対応した前記条件記述用語を前記未入力の各入力欄に入力して専用業務記述ファイルとして記憶する専用業務記述ファイル作成手段、
　前記専用業務記述ファイルの条件記述用語を工程別及び処理別に、条件記述用語と中央演算処理装置によって実行処理されるプログラムとの中間の言語に相当する実行文である変換中間実行文に変換する記述用語中間実行文変換手段、
　前記変数値を特定するための実行条件の条件記述用語が前記専用業務記述ファイルの画面の入力欄に入力されたときに、前記専用業務記述ファイルの処理順序又は処理先に従って、前記変換中間実行文の未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラムを記録したコンピュータ読み取り可能な記憶媒体。
　　【請求項１４】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の各入力欄に入力して単一業務処理手順別ファイルとして記憶する単一業務処理手順別ファイル作成手段、
　前記単一業務処理手順別ファイルの条件記述用語を工程別及び処理別に、条件記述用語と中央演算処理装置によって実行処理されるプログラムとの中間の言語に相当する実行文である変換中間実行文に変換する記述用語中間実行文変換手段、
　前記変数値を特定するための実行条件の条件記述用語が前記単一業務処理手順別ファイルの画面の入力欄に入力されたときに、予め定めた工程の順序で、前記変換中間実行文の未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラムを記録したコンピュータ読み取り可能な記憶媒体。
　　【請求項１５】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　各工程の順序のみを専用業務工程順序ファイルとして記憶する専用業務工程順序ファイル作成手段、
　専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の入力欄に入力して単一業務処理手順別ファイルとして記憶する単一業務処理手順別ファイル作成手段、
　前記単一業務処理手順別ファイルの条件記述用語を工程別及び処理別に、条件記述用語と中央演算処理装置によって実行処理されるプログラムとの中間の言語に相当する実行文である変換中間実行文に変換する記述用語中間実行文変換手段、
　前記変数値を特定するための実行条件の条件記述用語が前記単一業務処理手順別ファイルの画面の入力欄に入力されたときに、前記専用業務工程順序ファイルの工程の順序で、前記変換中間実行文の未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項１６】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　各工程の順序のみを専用業務工程順序ファイルとして記憶する専用業務工程順序ファイル作成手段、
　２以上の専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の入力欄に入力した２以上の専用業務の各工程ごとの処理順序を示す処理ファイル及び２以上の専用業務の各処理ごとの処理内容を示す手順ファイルからなる複数の業務処理手順別ファイルとして記憶する複数業務処理手順別ファイル作成手段、
　前記複数の業務処理手順別ファイルの条件記述用語を工程別及び処理別に、条件記述用語と中央演算処理装置によって実行処理されるプログラムとの中間の言語に相当する実行文である変換中間実行文に変換する記述用語中間実行文変換手段、
　前記変数値を特定するための実行条件の条件記述用語が前記複数の業務処理手順別ファイルの画面の入力欄に入力されたときに、前記専用業務工程順序ファイルの工程の順序で、前記変換中間実行文の未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラム。
　　【請求項１７】　請求項１乃至請求項４又は請求項７乃至請求項１２又は請求項１５又は請求項１６のいずれか１の未入力の各入力欄を画面に表示する条件記述用語未入力画面表示手段が、表形式の未入力の各入力欄を画面に表示する条件記述用語表形式未入力画面表示手段である変数値の決定処理プログラム。
　　【請求項１８】　請求項５又は請求項６又は請求項１３又は請求項１４のいずれか１の未入力の各入力欄を画面に表示する条件記述用語未入力画面表示手段が、表形式の未入力の各入力欄を画面に表示する条件記述用語表形式未入力画面表示手段である変数値の決定処理プログラムを記録したコンピュータ読み取り可能な記憶媒体。
　　【請求項１９】　請求項１又は請求項２又は請求項９又は請求項１０のいずれか１の専用業務記述ファイル作成手段が、特定された変数値決定情報と特定された処理順序又は処理先と一つの変数記号に対して複数存在する変数値から一つを選定することによって特定された選択値とにそれぞれ対応した条件記述用語を未入力の各入力欄に入力して入力終了が選択されたときに、前記条件記述用語の内でまだ入力されていない変数値に対する入力指示を表示し、追加入力されたときに予め定めた変数名の変数値のテスト結果を表示した後、前記条件記述用語を専用業務記述ファイルとして記憶する専用業務記述ファイル作成手段である変数値の決定処理プログラム。
　　【請求項２０】　請求項３又は請求項７又は請求項１１又は請求項１５のいずれか１の単一業務処理手順別ファイル作成手段が、特定された変数値決定情報と特定された処理順序又は処理先と一つの変数記号に対して複数存在する変数値から一つを選定することによって特定された選択値とにそれぞれ対応した条件記述用語を未入力の各入力欄に入力して入力終了が選択されたときに、前記条件記述用語の内でまだ入力されていない変数値に対する入力指示を表示し、追加入力されたときに予め定めた変数名の変数値のテスト結果を表示した後、前記条件記述用語を専用業務記述ファイルとして記憶する単一業務処理手順別ファイル作成手段である変数値の決定処理プログラム。
　　【請求項２１】　請求項４又は請求項８又は請求項１２又は請求項１６のいずれか１の複数業務処理手順別ファイル作成手段又は集積専用業務記述ファイル作成手段が、特定された変数値決定情報と特定された処理順序又は処理先と一つの変数記号に対して複数存在する変数値から一つを選定することによって特定された選択値とにそれぞれ対応した条件記述用語を未入力の各入力欄に入力して入力終了が選択されたときに、上記条件記述用語の内でまだ入力されていない変数値に対する入力指示を表示し、追加入力されたときに予め定めた変数名の変数値のテスト結果を表示した後、上記条件記述用語を複数の業務処理手順別ファイル又は集積専用業務記述ファイルとして記憶する複数業務処理手順別ファイル作成手段又は集積専用業務記述ファイルファイル作成手段である変数値の決定処理プログラム。
　　【請求項２２】　請求項５又は請求項１３のいずれか１の専用業務記述ファイル作成手段が、特定された変数値決定情報と特定された処理順序又は処理先と一つの変数記号に対して複数存在する変数値から一つを選定することによって特定された選択値とにそれぞれ対応した条件記述用語を未入力の各入力欄に入力して入力終了が選択されたときに、前記条件記述用語の内でまだ入力されていない変数値に対する入力指示を表示し、追加入力されたときに予め定めた変数名の変数値のテスト結果を表示した後、前記条件記述用語を専用業務記述ファイルとして記憶する専用業務記述ファイル作成手段である変数値の決定処理プログラムを記録したコンピュータ読み取り可能な記憶媒体。
　　【請求項２３】　請求項６又は請求項１４のいずれか１の単一業務処理手順別ファイル作成手段が、特定された変数値決定情報と特定された処理順序又は処理先と一つの変数記号に対して複数存在する変数値から一つを選定することによって特定された選択値とにそれぞれ対応した条件記述用語を未入力の各入力欄に入力して入力終了が選択されたときに、前記条件記述用語の内でまだ入力されていない変数値に対する入力指示を表示し、追加入力されたときに予め定めた変数名の変数値のテスト結果を表示した後、前記条件記述用語を単一業務処理手順別ファイルとして記憶する単一業務処理手順別ファイル作成手段である変数値の決定処理プログラムを記録したコンピュータ読み取り可能な記憶媒体。
　　【請求項２４】　予め定めた複数の変数名を設定して予め定めた手順に従って変数名の未決定変数値を予め定めた選択値又は算出した代入値と置換して変数値を決定するためにコンピュータを、
　変数値決定情報と変数値決定の処理順序又は処理先と選択値又は代入値と実行条件とを含む各データに対応させて予め意味づけした文字記号からなる条件記述用語と前記変数名に対応させた変数記号とを入力する未入力の各入力欄を画面に表示する条件記述用語未入力画面表示手段、
　２以上の専用業務の各工程ごとの処理順序及び実行条件を基本単位とする複数の処理別データ及び各処理ごとの処理内容及び実行条件を基本単位とする複数の手順別データを、特定された変数値決定情報と特定された処理順序又は処理先と一つの変数記号に対して複数存在する変数値から一つを選定することによって特定された選択値とにそれぞれ対応した前記条件記述用語で、前記未入力の入力欄に入力した２以上の専用業務の各工程ごとの処理順序を示す処理ファイル及び２以上の専用業務の各処理ごとの処理内容を示す手順ファイルからなる複数の業務処理手順別ファイルとして記憶する複数業務処理手順別ファイル作成手段、
　前記複数の業務処理手順別ファイルから専用業務のうちの目的とする専用業務に必要な処理ファイル及び手順ファイルを移行して工程順に集積し、目的とする専用業務のみの集積専用業務記述ファイルとして記憶する集積専用業務記述ファイル作成手段、
　前記変数値を特定するための実行条件の条件記述用語が前記集積専用業務記述ファイルの入力欄に入力されたときに、前記集積した工程順に前記集積専用業務記述ファイルの変数値決定情報と処理順序又は処理先の手順とに従って未決定変数値を演算して算出する変数値演算手段及び
　前記算出した変数値を代入値として未決定変数値と置換して変数値記憶ファイルに記憶する変数値記憶ファイル作成手段
として機能させるための変数値の決定処理プログラムを記録したコンピュータ読み取り可能な記憶媒体。
　　【請求項２５】　請求項１乃至請求項４又は請求項７乃至請求項１２又は請求項１５又は請求項１６のいずれか１の未入力の各入力欄を画面に表示する条件記述用語未入力画面表示手段が、各工程ごとの処理を表示する処理画面と、各処理ごとの処理内容を表示する選択手順画面又は演算手順画面と、変数値決定情報を表示する情報画面と、入力した条件記述用語うちで未入力の変数値に対する入力指示を表示し、追加入力されたときに予め定めた変数名の変数値のテスト結果を表示する記述用語入力テスト画面との少なくとも処理画面を含む複数の画面に分割した選択画面を付加した条件記述用語未入力画面表示手段である変数値の決定処理プログラム。
　　【請求項２６】　請求項５又は請求項６又は請求項１３又は請求項１４又は請求項２４のいずれか１の未入力の各入力欄を画面に表示する条件記述用語未入力画面表示手段が、各工程ごとの処理を表示する処理画面と、各処理ごとの処理内容を表示する選択手順画面又は演算手順画面と、変数値決定情報を表示する情報画面と、入力した条件記述用語うちで未入力の変数値に対する入力指示を表示し、追加入力されたときに予め定めた変数名の変数値のテスト結果を表示する記述用語入力テスト画面との少なくとも処理画面を含む複数の画面に分割した選択画面を付加した条件記述用語未入力画面表示手段である変数値の決定処理プログラムを記録したコンピュータ読み取り可能な記憶媒体。
　　【請求項２７】　請求項２４の複数業務処理手順別ファイル作成手段又は集積専用業務記述ファイル作成手段が、特定された変数値決定情報と特定された処理順序又は処理先と一つの変数記号に対して複数存在する変数値から一つを選定することによって特定された選択値とにそれぞれ対応した条件記述用語を未入力の各入力欄に入力して入力終了が選択されたときに、前記条件記述用語の内でまだ入力されていない変数値に対する入力指示を表示し、追加入力されたときに予め定めた変数名の変数値のテスト結果を表示した後、前記条件記述用語を複数の業務処理手順別ファイル又は集積専用業務記述ファイルとして記憶する複数業務処理手順別ファイル作成手段又は集積専用業務記述ファイル作成手段である変数値の決定処理プログラムを記録したコンピュータ読み取り可能な記憶媒体。」
　
２．原査定の理由
　原査定の拒絶の理由の概要は、本願の請求項１−２７に関するものは、自然法則を利用した技術的思想の創作ではないので、特許法第２条第１項で定義される発明に該当せず、特許法第２９条第１項柱書に規定する要件を満たしていないから、特許を受けることができないというものである。
　
３．当審の判断
　特許請求の範囲の記載のように、請求項１−４、７−１２、１５−１７、１９−２１、及び２５は「変数値の決定処理プログラム」に関するものであり、請求項５、６、１３、１４、１８、２２−２４、２６及び２７は「変数値の決定処理プログラムを記録したコンピュータ読み取り可能な記憶媒体」に関するものであると認められる。
　そして、平成５年６月に公表された「特許・実用新案審査基準　第ＩＩ部第１章　産業上利用することができる発明　１．１「発明」に該当しないものの類型（５）」にあるとおり、「変数値の決定処理プログラム」及び「変数値の決定処理プログラムを記録したコンピュータ読み取り可能な記憶媒体」はいずれも技術的思想とはいえない。
　
４．備考
　なお、平成９年４月１日以降の出願については、プログラムを記録したコンピュータ読み取り可能な記録媒体を、平成１３年１月１０日以降の出願についてはプログラムを、それぞれ特許法上の「発明」とする、平成９年２月公表の審査基準及び平成１２年１２月公表の審査基準について、それらが遡及適用されないことが適切であるのは以下のとおりである。
　上記審査基準の適用前であっても、コンピュータ・ソフトウェア関連発明は、時系列的につながった一連の処理又は操作、すなわち手順として表現できるときは、その手順を特定することにより方法の発明として、また、その発明が果たす一又は二以上の機能によって表現できるときは、その機能を特定することにより、物の発明として、それぞれ請求項に記載することができたものである。
　そして、平成５年６月に公表された「特許・実用新案審査基準」には、上記のように「発明」に該当しないものの類型として、「コンピュータプログラムを記録した記録媒体」及び「コンピュータプログラム自体」が示されているから、コンピュータ・ソフトウェア関連発明について出願をしようとする者は、当然、方法の発明または物の発明として請求項に記載することとなる。
　そのため、既に出願されたものにも、請求項の記載をプログラムを記録したコンピュータ読み取り可能な記録媒体またはプログラムとする補正を認めるようにした場合、同時期に出願されたにもかかわらず、特許付与前の出願については、プログラムを記録したコンピュータ読み取り可能な記録媒体またはプログラムへの補正が認められる一方、既に特許が付与されたものについては、補正が認められないという著しく不公平な事態が生じることになる。
　さらに、平成１４年に改正された特許法第２条第３項の規定は、コンピュータプログラム自体が、物の発明における物に含まれることの明確化がその趣旨であり、発明の定義規定である第２条第１項は従前のとおりであるから、平成１３年１月１０日以降の出願についてはプログラムを特許法上の「発明」とする、平成１２年１２月公表の審査基準について、それが遡及適用されないこととの整合性についても問題はない。
　
５．むすび
　したがって、本願の請求項１−２７に関するものは、特許法第２９条第１項柱書に規定する要件を満たしていないので特許を受けることができない。
　よって、結論のとおり審決する。